【手続補正書】
【提出日】平成29年9月1日(2017.9.1)
【手続補正１】
【補正対象書類名】特許請求の範囲
【補正対象項目名】全文
【補正方法】変更
【補正の内容】
【特許請求の範囲】
【請求項１】
対向する縦縁と、対になった横シールの間に一連の膨張容器を形成する、横シールによって互いに封止された１対のシートと、を備える、膨張可能なウェブを膨張および封止する機械であって、容器の各々は、大量のガスをその中に保持してこのようなガスを受容するための開口を有することが可能であり、前記機械は、
ａ．支持構造と、
ｂ．膨張可能なウェブのロールを回転可能に支持するように前記支持構造に取り付けられたスプールであって、前記スプールは、前記スプールが前記支持構造に取り付けられている近位末端を有する、スプールと、
ｃ．前記スプール上にロールの位置を確立するように構築および配置された位置決め機構であって、前記位置決め機構は、
１）前記スプールの前記近位末端においてロールと前記支持構造との間に介在する係合部材であって、前記係合部材は、ロールと係合して前記スプールに対して移動するようになっている、係合部材と、
２）前記係合部材を移動させ、これにより前記スプール上のロールの前記位置を確立するように構築および配置されたアクチュエータであって、前記アクチュエータおよび前記係合部材は、ロールがスプールに装填されているときに前記係合部材にロールによって加えられる力が所定量を超過すると互いに分離するように構成されている、アクチュエータと、
を備える位置決め機構と、
ｄ．膨張可能なウェブの縦縁と実質的に平行な移動経路に沿って膨張可能なウェブを搬送するための、ウェブ搬送システムと、
ｅ．ウェブが経路に沿って前進する際に、容器の開口の中にガスを案内し、これにより容器を膨張させるように構築および配置された、膨張システムと、
ｆ．前記膨張システムに対する膨張可能なウェブの横位置を検出するようになっている、ウェブ追跡センサと、
ｇ．膨張システムによるその膨張の後に、容器の開口を閉鎖封止するための封止装置と、
ｈ．前記ウェブ追跡センサおよび前記位置決め機構と動作可能に通信しているコントローラであって、前記コントローラは、前記追跡センサからの入力を受信し、前記入力に基づいて、所定範囲内に膨張可能なウェブの前記横位置を維持するように、前記スプール上のロールの前記位置を調整するように前記位置決め機構への出力を送信するようになっている、コントローラと、
を備える機械。
【請求項２】
前記アクチュエータおよび前記係合部材が、
ａ）前記アクチュエータが前記係合部材を移動させると互いに係合するような、および
ｂ）前記力が前記所定量を超過すると互いに開放されるような、
形状および相対位置になっているそれぞれの対向面を有する、請求項１に記載の機械。
【請求項３】
ａ）前記アクチュエータが、前記対向面のうちの１つを有する接触部材を備え、
ｂ）前記係合部材が、接触リングおよび案内バーを備え、前記案内バーは前記対向面のもう一方を有し、
ｃ）前記接触リングが、前記案内バーに取り付けられており、
ｄ）前記案内バーが、軌道内を直線的に移動可能なように構築および配置されている、
請求項２に記載の機械。
【請求項４】
前記位置決め機構が、前記アクチュエータおよび前記係合部材を互いに分離させるための前記所定量を超過する前記係合部材への力でロールが前記スプール上に装填されるときに、付勢要素が前記分離の間のロールの運動を制御するように、前記係合部材を前記アクチュエータに向かって付勢するための前記付勢要素をさらに備える、
請求項３に記載の機械。
【請求項５】
前記付勢要素が、付勢力をもって前記案内バーを前記接触部材と係合させ、
それを超過すると前記アクチュエータおよび前記係合部材が互いに分離する前記所定量の力は前記付勢力を含む、
請求項４に記載の機械。
【請求項６】
前記アクチュエータが、前記付勢力に対抗する、前記案内バーに対する力を付与するようになっている、請求項５に記載の機械。
【請求項７】
前記追跡センサが、その位置が膨張可能なウェブの前記横位置を表すような横シールの末端を検出するように構築および配置されている、
請求項１に記載の機械。
【請求項８】
前記コントローラが、さらに、
ａ）停止命令を受信し、
ｂ）前記追跡センサからの前記入力に基づいて、隣接する容器からの１対の横シールに対する所定の位置でウェブが停止するように膨張可能なウェブの搬送を停止するように、前記ウェブ搬送システムに出力を送信するようになっている、
請求項１に記載の機械。
【請求項９】
ａ）前記封止装置が、封止域および隔離域を含み、
ｂ）前記隔離域が、前記移動経路に沿って前記封止域よりも上流にあり、
ｃ）前記隔離域が、前記経路に沿って搬送される際にウェブ内の不規則性から前記封止域を実質的に隔離するように、構築および配置されている、
請求項１に記載の機械。
【請求項１０】
ａ）前記封止装置が、１対の収束部材を備え、
ｂ）前記封止域が、前記収束部材の間の収束点に位置し、
ｃ）前記隔離域が、それに対して前記ウェブが配向される前記収束部材のうちの１つのセグメントを備える、
請求項９に記載の機械。
【請求項１１】
前記封止装置が、偏向装置をさらに備え、前記偏向装置が、ウェブが前記経路に沿って搬送される際にウェブが前記セグメントに対して配向されるようなやり方で、前記経路と交差するように構築および配置されており、これにより前記隔離域を作り出す、
請求項１０に記載の機械。
【請求項１２】
ａ）前記封止装置が、封止域と１つ以上のウェブガイドとを含み、
ｂ）前記ウェブガイドが、ウェブが前記経路に沿って搬送される際に、ウェブの少なくとも一部を前記封止域から離れる方へ配向するように構築および配置されている、
請求項１に記載の機械。
【請求項１３】
ａ）ロールが、内径を有するコアを含み、
ｂ）前記スプールが、接触表面を含んでおり、前記接触表面がコアの内径に対して外向き付勢力を付与するように構築および配置されている、
請求項１に記載の機械。
【請求項１４】
レセプタクル内の所定量の膨張容器の存在を検出するようになっている検出器をさらに含み、前記検出器は前記コントローラと動作可能に連絡しており、前記コントローラは、
ａ）一旦前記所定量が検出された後の前記機械の動作停止、および
ｂ）前記所定量が検出されなかった場合の機械の動作開始
のうちの少なくとも１つを実行するようになっている、
請求項１に記載の機械。
【請求項１５】
対向する縦縁と、対になった横シールの間に一連の膨張容器を形成する、横シールによって互いに封止された１対のシートと、を備える、膨張可能なウェブを膨張および封止する機械であって、容器の各々は、大量のガスをその中に保持してこのようなガスを受容するための開口を有することが可能であり、前記機械は、
ａ．支持構造と、
ｂ．膨張可能なウェブのロールを回転可能に支持するように前記支持構造に取り付けられたスプールと、
ｃ．膨張可能なウェブの縦縁と実質的に平行な移動経路に沿って膨張可能なウェブを搬送するための、ウェブ搬送システムと、
ｄ．ウェブが経路に沿って前進する際に、容器の開口の中にガスを案内し、これにより容器を膨張させるように構築および配置された、膨張システムと、
ｅ．膨張システムによるその膨張の後に、容器の開口を閉鎖封止するための封止装置と、
を備え、
（１）前記封止装置は封止域および隔離域を含み、
（２）前記隔離域は前記移動経路に沿って前記封止域よりも上流にあり、
（３）前記隔離域は、前記経路に沿って搬送される際にウェブ内の不規則性から前記封止域を実質的に隔離するように構築および配置されている、機械。
【請求項１６】
ａ）前記封止装置が、１対の収束部材を備え、
ｂ）前記封止域が、前記収束部材の間の収束点に位置し、
ｃ）前記隔離域が、それに対して前記ウェブが配向される前記収束部材のうちの１つのセグメントを備える、
請求項１５に記載の機械。
【請求項１７】
前記隔離域が偏向装置を備え、前記偏向装置は、ウェブが前記経路に沿って搬送される際にウェブが前記セグメントに対して配向されるようなやり方で、前記経路と交差するように構築および配置されている、請求項１６に記載の機械。
【請求項１８】
対向する縦縁と、対になった横シールの間に一連の膨張容器を形成する、横シールによって互いに封止された１対のシートと、を備える、膨張可能なウェブを膨張および封止する機械であって、容器の各々は、大量のガスをその中に保持してこのようなガスを受容するための開口を有することが可能であり、前記機械は、
ａ．支持構造と、
ｂ．膨張可能なウェブのロールを回転可能に支持するように前記支持構造に取り付けられたスプールと、
ｃ．膨張可能なウェブの縦縁と実質的に平行な移動経路に沿って膨張可能なウェブを搬送するための、ウェブ搬送システムと、
ｄ．ウェブが経路に沿って前進する際に、容器の開口の中にガスを案内し、これにより容器を膨張させるように構築および配置された、膨張システムと、
ｅ．膨張システムによるその膨張の後に、容器の開口を閉鎖封止するための封止装置と、
を備え、
（１）前記封止装置は、封止域と１つ以上のウェブガイドとを含み、
（２）前記ウェブガイドは、ウェブが前記経路に沿って搬送される際に、前記封止域から離れる方へウェブの少なくとも一部を配向するように構築および配置されている、機械。